(57)【要約】      （修正有）【課題】太陽電池アレイからの電流経路上に複数のブロッキングダイオードが存在しているか否かを判定できる太陽電池アレイ検査システムを提供する。【解決手段】太陽電池アレイ検査システムは、複数のストリング３１を含む太陽電池アレイ３０のＩ−Ｖカーブを計測する計測部と、計測部により計測されたＩ−Ｖカーブに基づき、太陽電池アレイの開放電圧と、Ｉ−Ｖカーブの最も高電圧側に位置している変曲点の電圧とを特定し、特定した開放電圧と変曲点の電圧との間の電圧差に基づき、太陽電池アレイと計測部との間の電流経路上に複数のブロッキングダイオード１５が存在しているか否かを判定する判定部と、を備える。【選択図】図１
2019161809.tif 000002
【特許請求の範囲】
【請求項１】
複数のストリングを含む太陽電池アレイのＩ−Ｖカーブを計測する計測部と、
前記計測部により計測された前記Ｉ−Ｖカーブに基づき、前記太陽電池アレイの開放電圧と、前記Ｉ−Ｖカーブの最も高電圧側に位置している変曲点の電圧とを特定し、特定した前記開放電圧と前記変曲点の電圧との間の電圧差に基づき、前記太陽電池アレイと前記計測部との間の電流経路上に複数のブロッキングダイオードが存在しているか否かを判定する判定部と、
を備えることを特徴とする太陽電池アレイ検査システム。
【請求項２】
前記計測部は、複数の接続端子のそれぞれからの入力を接続端子毎に設けられたブロッキングダイオードを介して並列接続して出力する接続ユニットの出力に基づき、前記太陽電池アレイのＩ−Ｖカーブを計測し、
前記判定部は、前記接続ユニット内の前記ブロッキングダイオードの順方向電圧に応じて予め定められている電圧と前記電圧差とを比較することにより、前記太陽電池アレイと前記計測部との間の電流経路上に前記接続ユニット内の前記ブロッキングダイオードとは異なるブロッキングダイオードが存在しているか否かを判定する、
ことを特徴とする請求項１に記載の太陽電池アレイ検査システム。
【請求項３】
それぞれ、ストリングを接続するための複数の接続端子と、
前記複数の接続端子のそれぞれからの入力を、接続端子毎に設けられたブロッキングダイオードを介して並列接続して出力する接続ユニットと、
前記接続ユニットの出力に基づき、前記複数の接続端子に接続された複数のストリングにより構成された太陽電池アレイのＩ−Ｖカーブを計測する計測部と、
前記計測部により計測された前記Ｉ−Ｖカーブに基づき、前記太陽電池アレイの開放電圧と、前記Ｉ−Ｖカーブの最も高電圧側に位置している変曲点の電圧とを特定し、特定した前記開放電圧と前記変曲点の電圧との間の電圧差に基づき、前記太陽電池アレイと前記計測部との間の電流経路上に複数のブロッキングダイオードが存在しているか否かを判定する判定部と、
を備えることを特徴とするパワーコンディショナ。
【請求項４】
１台以上のコンピュータが、
複数のストリングを含む太陽電池アレイのＩ−Ｖカーブに基づき、前記太陽電池アレイの開放電圧と、前記Ｉ−Ｖカーブの最も高電圧側に位置している変曲点の電圧とを特定するステップと、
特定した前記開放電圧と前記変曲点の電圧との間の電圧差に基づき、前記太陽電池アレイと前記Ｉ−Ｖカーブの計測系との間の電流経路上に複数のブロッキングダイオードが存在しているか否かを判定するステップと、
を実行することを特徴とする太陽電池アレイ検査方法。
【発明の詳細な説明】
【技術分野】
【０００１】
本発明は、太陽電池アレイ検査システムとパワーコンディショナと太陽電池アレイ検査方法とに関する。
【背景技術】
【０００２】
太陽光発電用のパワーコンディショナ（ＰＣＳ）として、接続箱と同機能の接続ユニットを内蔵したＰＣＳ（例えば、特許文献１参照）が知られている。なお、接続ユニットとは、複数のストリングの出力を複数のブロッキングダイオードを介して各ストリングからの電流が他の各ストリングに流入しないように並列接続するユニット（電気回路）のことである。
【０００３】
そのようなＰＣＳには、太陽電池アレイの各ストリングが直接接続されるべきである。ただし、施工ミスや施工者の知識不足により、接続ユニットを内蔵したＰＣＳに、接続箱を介して太陽電池アレイが接続されてしまうことがある。接続ユニットを内蔵したＰＣＳに接続箱を介して太陽電池アレイが接続されていると、接続ユニット内のブロッキングダイオードと接続箱内のブロッキングダイオードの双方で発電ロスが生じてしまう。
【０００４】
余分なブロッキングダイオードが存在すると、ＰＣＳが、例えば６ｋＷ（３００Ｖ、２０Ａ）のものである場合には、発電ロスが４０Ｗ程度（すなわち、６ｋＷの０．７％程度）増加する。この発電ロスの増加量は、近年のＰＣＳの発電効率が、９５％〜９８％程度であることを考えると、無視できない量である。そして、余分なブロッキングダイオードにより発電ロスが増加するという問題は、接続ユニットを内蔵していないＰＣＳでも生じ得る。
【先行技術文献】
【特許文献】
【０００５】
【特許文献１】特開２０１６−１００９９０号公報
【発明の概要】
【発明が解決しようとする課題】
【０００６】
本発明は、上記問題に鑑みてなされたものであり、太陽電池アレイからの電流経路上に複数のブロッキングダイオードが存在しているか否かを判定できる技術を提供することを目的とする。
【課題を解決するための手段】
【０００７】
上記目的を達成するために、本発明の一観点に係る太陽電池アレイ検査システムは、  複数のストリングを含む太陽電池アレイのＩ−Ｖカーブを計測する計測部と、前記計測部により計測された前記Ｉ−Ｖカーブに基づき、前記太陽電池アレイの開放電圧と、前記Ｉ−Ｖカーブの最も高電圧側に位置している変曲点の電圧とを特定し、特定した前記開放電圧と前記変曲点の電圧との間の電圧差に基づき、前記太陽電池アレイと前記計測部との間の電流経路上に複数のブロッキングダイオードが存在しているか否かを判定する判定部と、を備える。
【０００８】
すなわち、太陽電池アレイと、当該太陽電池アレイのＩ−Ｖカーブを計測する計測部との間の電流経路上に１つ以上のブロッキングダイオードが存在していると、計測部によって計測されるＩ−Ｖカーブの開放電圧近傍に傾きが緩やかな部分が現れる。この部分の電
圧軸方向の長さ（太陽電池アレイの開放電圧と、Ｉ−Ｖカーブの最も高電圧側に位置している変曲点の電圧との間の電圧差）は、太陽電池アレイと計測部との間の電流経路上に存在するブロッキングダイオードの数に応じて変化する。そのため、上記構成を有する太陽電池アレイ検査システムによれば、太陽電池アレイとの間の電流経路上に複数のブロッキングダイオード（換言すれば、余分なブロッキングダイオード）が存在しているか否かを判定することができる。
【０００９】
本発明の上記観点に係る太陽電池アレイ検査システムは、具体的な構成の異なる様々な形で実現することが出来る。例えば、太陽電池アレイ検査システムに、『前記計測部は、複数の接続端子のそれぞれからの入力を接続端子毎に設けられたブロッキングダイオードを介して並列接続して出力する接続ユニットの出力に基づき、前記太陽電池アレイのＩ−Ｖカーブを計測し、前記判定部は、前記接続ユニット内の前記ブロッキングダイオードの順方向電圧に応じて予め定められている電圧と前記電圧差とを比較することにより、前記太陽電池アレイと前記計測部との間の電流経路上に前記接続ユニット内の前記ブロッキングダイオードとは異なるブロッキングダイオードが存在しているか否かを判定する』構成を採用しておいても良い。
【００１０】
また、本発明の一観点に係るパワーコンディショナは、それぞれ、ストリングを接続するための複数の接続端子と、前記複数の接続端子のそれぞれからの入力を、接続端子毎に設けられたブロッキングダイオードを介して並列接続して出力する接続ユニットと、前記接続ユニットの出力に基づき、前記複数の接続端子に接続された複数のストリングにより構成された太陽電池アレイのＩ−Ｖカーブを計測する計測部と前記計測部により計測された前記Ｉ−Ｖカーブに基づき、前記太陽電池アレイの開放電圧と、前記Ｉ−Ｖカーブの最も高電圧側に位置している変曲点の電圧とを特定し、特定した前記開放電圧と前記変曲点の電圧との間の電圧差に基づき、前記太陽電池アレイと前記計測部との間の電流経路上に複数のブロッキングダイオードが存在しているか否かを判定する判定部と、を備える。
【００１１】
また、本発明の一観点に係る太陽電池アレイ検査方法では、１台以上のコンピュータが、複数のストリングを含む太陽電池アレイのＩ−Ｖカーブに基づき、前記太陽電池アレイの開放電圧と、前記Ｉ−Ｖカーブの最も高電圧側に位置している変曲点の電圧とを特定する特定ステップと、前記特定ステップにより特定された特定した前記開放電圧と前記変曲点の電圧との間の電圧差に基づき、前記太陽電池アレイと前記Ｉ−Ｖカーブの計測系との間の電流経路上に複数のブロッキングダイオードが存在しているか否かを判定するステップとを実行する。
【００１２】
従って、これらの技術（パワーコンディショナ、太陽電池アレイ検査方法）によっても、太陽電池アレイとの間の電流経路上に複数のブロッキングダイオードが存在しているか否かを判定することができる。
【発明の効果】
【００１３】
本発明によれば、太陽電池アレイとの間の電流経路上に複数のブロッキングダイオードが存在しているか否かを判定することができる。
【図面の簡単な説明】
【００１４】
【図１】図１は、本発明の一実施形態に係る太陽電池アレイ検査システムの概略構成及び使用形態の説明図である。
【図２】図２は、実施形態に係る太陽電池アレイ検査システムの検査装置が実行する重複ブロッキングダイオード検査処理の流れ図である。
【図３】図３は、ダイオードの順方向特性の説明図である。
【図４】図４は、ＰＣＳのＩ−Ｖカーブ計測系により計測されるＩ−Ｖカーブの説明図である。
【図５】図５は、太陽電池アレイの誤接続例の説明図である。
【発明を実施するための形態】
【００１５】
以下、図面に基づいて、本発明の実施の形態を説明する。
【００１６】
図１に、本発明の一実施形態に係る太陽電池アレイ検査システムの概略構成及び使用形態を示す。
【００１７】
本実施形態に係る太陽電池アレイ検査システムは、パワーコンディショナ（ＰＣＳ）１０と検査装置２０とにより構成されたシステムである。
【００１８】
ＰＣＳ１０は、ストリング３１を接続するための複数（図では、４つ）の接続端子を備え、それらの接続端子に接続された複数のストリング３１（つまり、太陽電池アレイ３０）からの電力を系統４０及び／又は負荷４５に供給する装置である。なお、ストリング３１とは、太陽電池パネル３２を複数個（複数枚）直列接続したユニットのことである。
【００１９】
図１に示してあるように、ＰＣＳ１０は、接続ユニット１６と電力変換部１１と制御部１２とを備える。接続ユニット１６は、各接続端子からの入力を、接続端子毎に設けられたブロッキングダイオード（逆流防止ダイオード）１５を介して並列接続して出力する回路である。すなわち、ＰＣＳ１０は、接続箱と同機能の接続ユニット１６を備えている。
【００２０】
電力変換部１１は、接続ユニット１６からの直流電力（つまり、太陽電池アレイ３０の発電電力）を交流電力に変換するためのユニットである。電力変換部１１は、ＤＣ／ＤＣコンバータとＤＣ／ＡＣインバータとにより構成されており、ＰＣＳ１０内には、電力変換部１１の入力電流ＤＣＩを検出するための電流センサ２１、及び、電力変換部１１の入力電圧ＤＣＶを検出するための電圧センサ２２が設けられている。ＰＣＳ１０内は、センサ２１、２２以外のセンサ（図示略）も設けられている。
【００２１】
制御部１２は、プロセッサ（ＣＰＵ、マイクロコントローラ等）、ゲートドライバ、検査装置２０（詳細は後述）と通信を行うための通信インターフェース回路等から構成されたユニットである。制御部１２には、電流センサ２１及び電圧センサ２２を含む各種センサの出力が入力されており、制御部１２は、各種センサからの情報に基づき、通常処理やＩ−Ｖカーブ計測処理を行う。
【００２２】
制御部１２が行う通常処理は、太陽電池アレイ３０から最大電力が取り出されて所望の交流に変換されるように、電力変換部１１を制御する処理である。
【００２３】
Ｉ−Ｖカーブ計測処理は、検査装置２０からＩ−Ｖカーブ計測が指示されたときに、制御部１２が実行する処理である。このＩ−Ｖカーブ計測処理時、制御部１２は、電力変換部１１の制御により動作点電圧（電力変換部１１の入力電圧ＤＣＶ）を変化させながら、電力変換部１１の入力電圧ＤＣＶ及び入力電流ＤＣＩを測定することで、太陽電池アレイ３０のＩ−Ｖカーブを計測する。そして、制御部１２は、計測したＩ−Ｖカーブ（ＤＣＶ、ＤＣＩの測定結果）を検査装置２０に提供してから、Ｉ−Ｖカーブ計測処理を終了する。以下、このＩ−Ｖカーブ計測処理時に機能するＰＣＳ１０内の部分（制御部１２、電力変換部１１内のＤＣ／ＤＣコンバータ、電流センサ２１、電圧センサ２２を主要構成要素とした部分）のことを、Ｉ−Ｖカーブ計測系１７と表記する。
【００２４】
検査装置２０は、図２に示した手順の重複ブロッキングダイオード検査処理（以下、重複ＢＬＤ検査処理とも表記する）を行えるように構成（プログラミング）したコンピュー
タである。この検査装置２０は、一般的なコンピュータ（ノートパソコン、デスクトップパソコン等）を、重複ＢＬＤ検査処理を実行可能なようにプログラミングしたものであっても、太陽電池アレイ検査システムの構成要素として使用するために製造された装置であっても良い。また、検査装置２０は、ＵＳＢケーブル等のケーブルでＰＣＳ１０と接続されるものであっても、通信ネットワーク（インターネット等）を介してＰＣＳ１０と接続されるものであっても良い。
【００２５】
重複ＢＬＤ検査処理は、検査装置２０が備える入力装置（キーボード等）に対して所定の操作がなされたときに、検査装置２０（検査装置２０内のプロセッサ）が実行する処理である。なお、この重複ＢＬＤ検査処理は、太陽電池アレイ３０とＰＣＳ１０との間に余分なブロッキングダイオードが存在しているか否かを検査するための処理である。従って、重複ＢＬＤ検査処理は、通常、太陽電池アレイ３０の構成の変更後や、パワーコンディショナのＰＣＳ１０への交換後に実行される。
【００２６】
以下、重複ＢＬＤ検査処理（図２）の内容を、重複ＢＬＤ検査処理の処理手順、重複ＢＬＤ検査処理の原理の順に、説明する。
【００２７】
・重複ＢＬＤ検査処理の処理手順
図示してあるように、重複ＢＬＤ検査処理を開始した検査装置２０は、まず、ＰＣＳ１０（制御部１２）にＩ−Ｖカーブ計測を指示する（ステップＳ１０１）。そして、検査装置２０は、その指示に従って、制御部１２が実行したＩ−Ｖカーブ計測処理の処理結果（つまり、Ｉ−Ｖカーブの計測結果）を、ＰＣＳ１０から取得する（ステップＳ１０１）。
【００２８】
太陽電池アレイ３０のＩ−ＶカーブをＰＣＳ１０から取得した検査装置２０は、当該Ｉ−Ｖカーブに基づき、太陽電池アレイ３０の開放電圧Ｖｏｃと、Ｉ−Ｖカーブの最も高電圧側に位置している変曲点の電圧Ｖｂｌｄとを特定する（ステップＳ１０２）。また、検査装置２０は、それらの電圧間の電圧差をＶｒｅｆ（＝ＶｏｃーＶｂｌｄ）を算出する（ステップＳ１０２）。
【００２９】
その後、検査装置２０は、上記電圧差Ｖｒｅｆが閾値電圧よりも高いか否かを判断する（ステップＳ１０３）。ここで、閾値電圧とは、接続ユニット１６に用いられているブロッキングダイオード１５の順方向電圧Ｖｆよりも大きく、当該Ｖｆと一般的なブロッキングダイオード（又は、順方向電圧が最小のブロッキングダイオード）の順方向電圧Ｖｆとの和よりも小さな値となるように予め定めている値（電圧値）のことである。
【００３０】
検査装置２０は、Ｖｒｅｆが閾値電圧以下であった場合（ステップＳ１０３；ＮＯ）には、太陽電池アレイ３０とＰＣＳ１０との間に余分なブロッキングダイオードが存在していない旨を示す検査結果情報を出力する（ステップＳ１０４）。なお、本実施形態に係る検査装置２０が、ステップＳ１０４にて行う処理は、検査結果情報をディスプレイの画面上に表示する処理である。ただし、ステップＳ１０４の処理は、ユーザに検査結果情報を通知できる他の処理、例えば、検査結果情報を音声出力する処理や、検査結果情報を印刷する処理であっても良い。
【００３１】
一方、Ｖｒｅｆが閾値電圧を超えていた場合（ステップＳ１０３；ＹＥＳ）、検査装置２０は、太陽電池アレイ３０とＰＣＳ１０との間に余分なブロッキングダイオードが存在していない旨を示す検査結果情報を出力する（ステップＳ１０５）。
【００３２】
そして、ステップＳ１０４又はＳ１０５の処理を終えた検査装置２０は、この重複ＢＬＤ検査処理を終了する。
【００３３】
・重複ＢＬＤ検査処理の原理
上記した重複ＢＬＤ検査処理は、以下の原理に基づき、太陽電池アレイ３０とＰＣＳ１０との間に余分なブロッキングダイオードが存在しているか否かを検査するものである。
【００３４】
一般的なダイオードは、図３に示したような順方向特性、すなわち、『端子間電圧が順方向電圧Ｖｆとなるまでは、電流が殆ど流れず、端子間電圧が順方向電圧Ｖｆに達すると大きな電流が流れる』という順方向特性を有している。そして、Ｉ−Ｖカーブ計測系１７には、接続ユニット１６（ブロッキングダイオード１５）を介して太陽電池アレイ３０の出力が入力されている。そのため、Ｉ−Ｖカーブ計測系１７により計測される太陽電池アレイ３０のＩ−Ｖカーブには、ブロッキングダイオード１５の順方向特性の影響で、図４に模式的に示したように、開放電圧Ｖｏｃ近傍に傾きが緩やかな部分が現れる。
【００３５】
この部分（以下、平坦部と表記する）の電圧軸方向の長さ、すなわち、開放電圧Ｖｏｃと、Ｉ−Ｖカーブの最も高電圧側に位置している変曲点の電圧Ｖｂｌｄとの間の電圧差Ｖｒｅｆは、太陽電池アレイ３０とＩ−Ｖカーブ計測系１７との間の電流経路上に存在するブロッキングダイオード１５の数に応じて変化する。より具体的には、上記電圧差Ｖｒｅｆは、太陽電池アレイ３０とＩ−Ｖカーブ計測系１７との間に存在する各ブロッキングダイオード１５の順方向電圧Ｖｆの総和とほぼ等しい値となる。なお、Ｖｆは、１Ｖ程度であり、太陽電池アレイ３０のＶｏｃは、通常、２００Ｖ〜３００Ｖ程度であるので、太陽電池アレイ３０のＩ−Ｖカーブに実際に現れる平坦部は、図４に示したものよりも極めて小さなものである。
【００３６】
電圧差Ｖｒｅｆと太陽電池アレイ３０とＩ−Ｖカーブ計測系１７との間のブロッキングダイオード１５の数との間に上記のような関係がある。そのため、太陽電池アレイ３０の各ストリング３１が直接ＰＣＳ１０に接続されている場合（図１参照）には、電圧差Ｖｒｅｆが、接続ユニット１６内のブロッキングダイオード１５の順方向電圧Ｖｆと同程度の値となる。一方、図５に示したように、太陽電池アレイ３０が接続箱１８を介してＰＣＳ１０に接続されている場合には、電圧差Ｖｒｅｆが、接続ユニット１６内のブロッキングダイオード１５の順方向電圧Ｖｆの２倍程度の値（接続ユニット１６内と接続箱１８内の２つのブロッキングダイオード１５の順方向電圧Ｖｆの和程度の値）となる。
【００３７】
従って、電圧差Ｖｒｅｆと、接続ユニット１６内のブロッキングダイオード１５の順方向電圧Ｖｆよりも大きく、当該Ｖｆと一般的なブロッキングダイオード（又は、順方向電圧が最小のブロッキングダイオード）の順方向電圧Ｖｆとの和よりも小さな値（つまり、上記した閾値電圧）との比較により、太陽電池アレイ３０とＰＣＳ１０との間に余分なブロッキングダイオードが存在しているか否かを検査（判定）できることになる。
【００３８】
以上、説明したように、本実施形態に係る太陽電池アレイ検査システムは、ユーザ（太陽電池アレイ３０の施工者等）に、太陽電池アレイ３０とＰＣＳ１０との間に余分なブロッキングダイオードが存在しているか否かを通知することが出来る。従って、本実施形態に係る太陽電池アレイ検査システムによれば、余分なブロッキングダイオードが存在しているが故に、発電ロスが多い状態で太陽電池アレイシステムが使用され続けることを防止できる。
【００３９】
《変形例》
上記した実施形態に係る太陽電池アレイ検査システムは、様々な変形が可能なものである。例えば、接続ユニット１６を内蔵していないＰＣＳに、２個以上のブロッキングダイオードを介して太陽電池アレイ３０が接続されることもある。従って、太陽電池アレイ検査システムのＰＣＳ１０を、接続ユニット１６を内蔵していないＰＣＳに変更しても良い。
【００４０】
ＰＣＳ１０の制御部１２に、検査装置２０としての機能を付与しておいても良い。また、ＰＣＳ１０の具体的な回路構成、重複ＢＬＤ検査処理の具体的な処理手順が上記したものとは異なっても良いことなどは、当然のことである。
【００４１】
《付記》
（１）  複数のストリング（３１）を含む太陽電池アレイ（３０）のＩ−Ｖカーブを計測する計測部（１７）と、
前記計測部（１７）により計測された前記Ｉ−Ｖカーブに基づき、前記太陽電池アレイ（３０）の開放電圧と、前記Ｉ−Ｖカーブの最も高電圧側に位置している変曲点の電圧とを特定し、特定した前記開放電圧と前記変曲点の電圧との間の電圧差に基づき、前記太陽電池アレイ（３０）と前記計測部（１７）との間の電流経路上に複数のブロッキングダイオード（１５）が存在しているか否かを判定する判定部（２０）と、
を備えることを特徴とする太陽電池アレイ検査システム。
【００４２】
（２）  それぞれ、ストリング（３１）を接続するための複数の接続端子と、
前記複数の接続端子のそれぞれからの入力を、接続端子毎に設けられたブロッキングダイオード（１５）を介して並列接続して出力する接続ユニット（１８）と、
前記接続ユニット（１８）の出力に基づき、前記複数の接続端子に接続された複数のストリングにより構成された太陽電池アレイのＩ−Ｖカーブを計測する計測部（１７）と、
前記計測部（１７）により計測された前記Ｉ−Ｖカーブに基づき、前記太陽電池アレイ（３０）の開放電圧と、前記Ｉ−Ｖカーブの最も高電圧側に位置している変曲点の電圧とを特定し、特定した前記開放電圧と前記変曲点の電圧との間の電圧差に基づき、前記太陽電池アレイ（３０）と前記計測部との間の電流経路上に複数のブロッキングダイオード（１５）が存在しているか否かを判定する判定部（１２）と、
を備えることを特徴とするパワーコンディショナ。
【００４３】
（３）  １台以上のコンピュータが、
複数のストリング（３１）を含む太陽電池アレイ（３０）のＩ−Ｖカーブに基づき、前記太陽電池アレイ（３０）の開放電圧と、前記Ｉ−Ｖカーブの最も高電圧側に位置している変曲点の電圧とを特定する特定ステップ（Ｓ１０２）と、
前記特定ステップ（Ｓ１０２）により特定された前記開放電圧と前記変曲点の電圧との間の電圧差に基づき、前記太陽電池アレイ（３０）と前記Ｉ−Ｖカーブの計測系との間の電流経路上に複数のブロッキングダイオード（１５）が存在しているか否かを判定するステップ（Ｓ１０３）と、
ことを特徴とする太陽電池アレイ検査方法。
【符号の説明】
【００４４】
１０  パワーコンディショナ
１１  電力変換部
１２  制御部
１５  ブロッキングダイオード
１６  接続ユニット
１８  接続箱
１７  Ｉ−Ｖカーブ計測系
２０  検査装置
２１  電流センサ
２２  電圧センサ
３０  太陽電池アレイ
３１  ストリング
３２  太陽電池パネル
４０  系統
４５  負荷
【図１】
2019161809.tif 000003
【図２】
2019161809.tif 000004
【図３】
2019161809.tif 000005
【図４】
2019161809.tif 000006
【図５】
2019161809.tif 000007